(57)【要約】【課題】リレーディスパッチ設定の誤りを低減する。【解決手段】電力需要管理装置１は、ユーザによって選択された需要家の選択された時間帯を、需要家の電力削減予定時間帯として設定する時間帯設定部５と、電力削減予定時間帯の情報を設定画面の第１表示領域に表示する時間帯表示部３と、ユーザによって選択された需要家の電力削減予定量を電力削減予定時間帯毎に設定する削減予定量設定部７と、全ての需要家の設定済みの電力削減予定量の総和の情報を電力削減予定時間帯毎に設定画面の第２表示領域に表示し、削減予定量設定部７によって新たに電力削減予定量が設定されたときに、該当する電力削減予定時間帯の電力削減予定量の総和が新たに設定された電力削減予定量の分だけ増加するように第２表示領域の表示を更新する削減予定量表示部４とを備える。【選択図】  図１
2019213250.tif 000002
【特許請求の範囲】
【請求項１】
電力抑制の要請の対象となる複数の需要家の情報を予め記憶するように構成された需要家情報記憶部と、
ユーザによって選択された需要家の選択された時間帯を、この需要家の電力削減予定時間帯として設定するように構成された時間帯設定部と、
前記ユーザによって選択された需要家の前記電力削減予定時間帯の情報を、需要家を選択する設定画面の第１表示領域に表示するように構成された時間帯表示部と、
前記需要家情報記憶部に記憶されている情報を基に、前記ユーザによって選択された需要家の電力削減予定量を前記電力削減予定時間帯毎に設定するように構成された削減予定量設定部と、
全ての需要家の設定済みの電力削減予定量の総和の情報を前記電力削減予定時間帯毎に前記設定画面の第２表示領域に表示し、前記削減予定量設定部によって新たに電力削減予定量が設定されたときに、該当する電力削減予定時間帯の電力削減予定量の総和が新たに設定された電力削減予定量の分だけ増加するように前記第２表示領域の表示を更新するように構成された削減予定量表示部とを備えることを特徴とする電力需要管理装置。
【請求項２】
請求項１記載の電力需要管理装置において、
前記削減予定量表示部は、予め定められた必要な電力削減量の情報を、前記電力削減予定量の総和の情報と重ねて表示することを特徴とする電力需要管理装置。
【請求項３】
請求項１または２記載の電力需要管理装置において、
前記需要家情報記憶部に記憶されている情報を基に、前記電力削減予定時間帯の設定が不可能と判断した場合に、前記電力削減予定時間帯および前記電力削減予定量の設定を禁止するように構成された設定禁止部をさらに備えることを特徴とする電力需要管理装置。
【請求項４】
請求項３記載の電力需要管理装置において、
前記需要家情報記憶部は、各需要家の１日当たりの最大の電力削減可能量と単位時間当たりの電力削減可能量の情報を少なくとも記憶し、
前記削減予定量設定部は、前記電力削減予定量の設定以前に、前記需要家情報記憶部に記憶されている情報を基に、前記ユーザによって選択された需要家の電力削減暫定量を前記ユーザによって選択された時間帯毎に算出し、
前記設定禁止部は、前記ユーザによって選択された需要家の設定済みの電力削減予定量の総和に、前記削減予定量設定部によって算出された電力削減暫定量を加えた値が、この需要家の１日当たりの最大の電力削減可能量を超える場合に、前記電力削減予定時間帯の設定が不可能と判断し、
前記削減予定量設定部は、前記電力削減予定時間帯の設定が可能な場合に、前記電力削減暫定量を、前記ユーザによって選択された需要家の電力削減予定量として設定することを特徴とする電力需要管理装置。
【請求項５】
請求項１乃至４のいずれか１項に記載の電力需要管理装置において、
前記時間帯表示部は、需要家毎の設定済みの前記電力削減予定時間帯を時間軸に沿って前記第１表示領域に表示し、
前記削減予定量表示部は、横軸が前記第１表示領域の時間軸と共通で、縦軸が電力であるグラフにより、全ての需要家の設定済みの電力削減予定量の総和を前記電力削減予定時間帯毎に前記第２表示領域に表示することを特徴とする電力需要管理装置。
【請求項６】
電力抑制の要請の対象となる複数の需要家の設定済みの電力削減予定時間帯の情報を、需要家を選択する設定画面の第１表示領域に表示する第１のステップと、
全ての需要家の設定済みの電力削減予定量の総和の情報を前記電力削減予定時間帯毎に前記設定画面の第２表示領域に表示する第２のステップと、
ユーザによって選択された需要家の選択された時間帯を、この需要家の電力削減予定時間帯として設定する第３のステップと、
この第３のステップによって新たに電力削減予定時間帯が設定されたときに、前記第１表示領域の表示を更新する第４のステップと、
各需要家の情報を予め記憶する需要家情報記憶部を参照し、この需要家情報記憶部に記憶されている情報を基に、前記ユーザによって選択された需要家の電力削減予定量を前記電力削減予定時間帯毎に設定する第５のステップと、
この第５のステップによって新たに電力削減予定量が設定されたときに、該当する電力削減予定時間帯の電力削減予定量の総和が新たに設定された電力削減予定量の分だけ増加するように前記第２表示領域の表示を更新する第６のステップとを含むことを特徴とする電力需要管理方法。
【発明の詳細な説明】
【技術分野】
【０００１】
本発明は、需要家の電力需要を管理する技術に係り、特に電力抑制の要請の対象となる需要家を選択・設定する電力需要管理装置および方法に関するものである。
【背景技術】
【０００２】
電力を消費する装置の稼働が集中する等の理由で、消費電力量が一時的に上昇し、電力の供給が逼迫した状況になると、電力の供給量が不足する状況になることを避けるために、電力供給側の主体から、消費電力量の調整を求めるデマンド制御の要求（消費電力量の調整要求）を行うことが提案されている（特許文献１参照）。以下、特許文献１に開示されているように、電力供給側からの要請に応じて需要家側が電力の使用を抑制するよう電力消費パターンを変化させることを、デマンドレスポンスとする。
【０００３】
デマンドレスポンス（ＤＲ）は、各電力会社においても、通常の容量確保の手段として利用され始めている。現状では、各需要家に対して最長３時間の節電制御の要請がなされるが、ビル（需要家）の節電制御をできるだけ短い時間で終えるようにしないと、ビルの居住者からのクレームに繋がってしまう。そこで、より多くの需要家を募るため、電力会社から要請されたデマンドレスポンスの時間帯を複数の時間帯に分割し、分割した時間帯ごとに節電制御要請相手の需要家を切り替えることにより、複数の需要家で分担して節電制御するリレーディスパッチと呼ばれる方式が採用されることがある。
【０００４】
図６はリレーディスパッチの１例を説明する図である。ここでは、需要家Ａ、需要家Ｂ、需要家Ｃに節電要請がなされる例を示している。図７（Ａ）は電力会社と需要家との間で電力需要調整を行うアグリゲータ事業者のオペレータが設定するリレーディスパッチ設定の１例を示す図、図７（Ｂ）は時間帯別削減量の１例を示す図である。図７（Ａ）、図７（Ｂ）の例では、１５時から１６時、および１７時から１８時の時間帯に需要家Ａに対して２００ｋＷの節電を要請し、１６時から１７時の時間帯に需要家Ｂ、需要家Ｃに対して１００ｋＷの節電を要請する設定になっていることが分かる。
【０００５】
特許文献１の例では、各需要家が将来の１週間分のデマンドレスポンス予定情報を入力してアグリゲータ事業者に予定を報告するようになっている。つまり、需要家ごとの電力削減予定量が、それぞれの日の時間帯ごとに予め報告される。
【０００６】
一方、需要家とアグリゲータ事業者との間で、「日中の特定の時間帯（例えば１２時から１８時）のどこかで最大４００ｋＷ／１日」、というような契約が締結されることもある。このようにデマンドレスポンスの時間帯の大枠が決められているだけで詳細な時間帯設定が契約で定められていない場合、アグリゲータ事業者が複数の需要家について節電要請する時間帯を個別に設定する必要があるが、設定作業が煩雑になるため、設定の誤りが発生する虞があった。
【先行技術文献】
【特許文献】
【０００７】
【特許文献１】国際公開ＷＯ２０１６／１８６０８１
【発明の概要】
【発明が解決しようとする課題】
【０００８】
本発明は、上記課題を解決するためになされたもので、リレーディスパッチ設定の誤りを低減することができる電力需要管理装置および方法を提供することを目的とする。
【課題を解決するための手段】
【０００９】
本発明の電力需要管理装置は、電力抑制の要請の対象となる複数の需要家の情報を予め記憶するように構成された需要家情報記憶部と、ユーザによって選択された需要家の選択された時間帯を、この需要家の電力削減予定時間帯として設定するように構成された時間帯設定部と、前記ユーザによって選択された需要家の前記電力削減予定時間帯の情報を、需要家を選択する設定画面の第１表示領域に表示するように構成された時間帯表示部と、前記需要家情報記憶部に記憶されている情報を基に、前記ユーザによって選択された需要家の電力削減予定量を前記電力削減予定時間帯毎に設定するように構成された削減予定量設定部と、全ての需要家の設定済みの電力削減予定量の総和の情報を前記電力削減予定時間帯毎に前記設定画面の第２表示領域に表示し、前記削減予定量設定部によって新たに電力削減予定量が設定されたときに、該当する電力削減予定時間帯の電力削減予定量の総和が新たに設定された電力削減予定量の分だけ増加するように前記第２表示領域の表示を更新するように構成された削減予定量表示部とを備えることを特徴とするものである。
また、本発明の電力需要管理装置の１構成例において、前記削減予定量表示部は、予め定められた必要な電力削減量の情報を、前記電力削減予定量の総和の情報と重ねて表示することを特徴とするものである。
【００１０】
また、本発明の電力需要管理装置の１構成例は、前記需要家情報記憶部に記憶されている情報を基に、前記電力削減予定時間帯の設定が不可能と判断した場合に、前記電力削減予定時間帯および前記電力削減予定量の設定を禁止するように構成された設定禁止部をさらに備えることを特徴とするものである。
また、本発明の電力需要管理装置の１構成例において、前記需要家情報記憶部は、各需要家の１日当たりの最大の電力削減可能量と単位時間当たりの電力削減可能量の情報を少なくとも記憶し、前記削減予定量設定部は、前記電力削減予定量の設定以前に、前記需要家情報記憶部に記憶されている情報を基に、前記ユーザによって選択された需要家の電力削減暫定量を前記ユーザによって選択された時間帯毎に算出し、前記設定禁止部は、前記ユーザによって選択された需要家の設定済みの電力削減予定量の総和に、前記削減予定量設定部によって算出された電力削減暫定量を加えた値が、この需要家の１日当たりの最大の電力削減可能量を超える場合に、前記電力削減予定時間帯の設定が不可能と判断し、前記削減予定量設定部は、前記電力削減予定時間帯の設定が可能な場合に、前記電力削減暫定量を、前記ユーザによって選択された需要家の電力削減予定量として設定することを特徴とするものである。
また、本発明の電力需要管理装置の１構成例において、前記時間帯表示部は、需要家毎の設定済みの前記電力削減予定時間帯を時間軸に沿って前記第１表示領域に表示し、前記削減予定量表示部は、横軸が前記第１表示領域の時間軸と共通で、縦軸が電力であるグラフにより、全ての需要家の設定済みの電力削減予定量の総和を前記電力削減予定時間帯毎に前記第２表示領域に表示することを特徴とするものである。
【００１１】
また、本発明の電力需要管理方法は、電力抑制の要請の対象となる複数の需要家の設定済みの電力削減予定時間帯の情報を、需要家を選択する設定画面の第１表示領域に表示する第１のステップと、全ての需要家の設定済みの電力削減予定量の総和の情報を前記電力削減予定時間帯毎に前記設定画面の第２表示領域に表示する第２のステップと、ユーザによって選択された需要家の選択された時間帯を、この需要家の電力削減予定時間帯として設定する第３のステップと、この第３のステップによって新たに電力削減予定時間帯が設定されたときに、前記第１表示領域の表示を更新する第４のステップと、各需要家の情報を予め記憶する需要家情報記憶部を参照し、この需要家情報記憶部に記憶されている情報を基に、前記ユーザによって選択された需要家の電力削減予定量を前記電力削減予定時間帯毎に設定する第５のステップと、この第５のステップによって新たに電力削減予定量が設定されたときに、該当する電力削減予定時間帯の電力削減予定量の総和が新たに設定された電力削減予定量の分だけ増加するように前記第２表示領域の表示を更新する第６のステップとを含むことを特徴とするものである。
【発明の効果】
【００１２】
本発明によれば、各需要家の電力抑制時間を短くスケジューリング可能であり、設定操作と操作結果の確認が視覚的に可能な設定画面を提供することで、リレーディスパッチ設定の誤りを低減することが可能となる。また、本発明によれば、リレーディスパッチ設定を簡易化することができる。
【図面の簡単な説明】
【００１３】
【図１】図１は、本発明の実施例に係る電力需要管理装置の構成を示すブロック図である。
【図２】図２は、本発明の実施例に係る電力需要管理装置のリレーディスパッチ設定時の動作を説明するフローチャートである。
【図３】図３は、本発明の実施例に係る電力需要管理装置のリレーディスパッチ設定時のリレーディスパッチ設定画面の１例を示す図である。
【図４】図４は、本発明の実施例に係る電力需要管理装置のリレーディスパッチ設定時のリレーディスパッチ設定画面の１例を示す図である。
【図５】図５は、本発明の実施例に係る電力需要管理装置を実現するコンピュータの構成例を示すブロック図である。
【図６】図６は、リレーディスパッチの１例を説明する図である。
【図７】図７は、リレーディスパッチ設定および時間帯別削減量の１例を示す図である。
【発明を実施するための形態】
【００１４】
以下、本発明の実施例について図面を参照して説明する。図１は本発明の実施例に係る電力需要管理装置の構成を示すブロック図である。電力需要管理装置１は、需要家情報記憶部２と、時間帯表示部３と、削減予定量表示部４と、時間帯設定部５と、設定記憶部６と、削減予定量設定部７と、設定禁止部８と、設定禁止表示部９と、要請入力部１０と、節電要請部１１と、表示装置１２と、入力装置１３とを備えている。この電力需要管理装置１は、例えばアグリゲータ事業者の管理センターに設置される。
【００１５】
図２は本実施例の電力需要管理装置１のリレーディスパッチ設定時の動作を説明するフローチャートである。
需要家情報記憶部２には、１日当たりの最大の電力削減可能量ＥＲｍａｘの情報と、単位時間（１時間）当たりの電力削減可能量ＥＲｔの情報と、電力削減可能時間帯の情報とが、アグリゲータ事業者が管理する需要家毎に予め記憶されている。例えば、需要家Ａについて、「日中の特定の時間帯（例えば１２時から１８時）のどこかで最大ＸＸＸ［ｋＷ／日］の削減が可能」という契約がされていたとする。そして、需要家Ａは１時間当たりＹＹＹ［ｋＷ］の削減が可能であるとすると、１２時から１８時の時間帯のどこかでＥＲｍａｘ／ＥＲｔ＝ＸＸＸ／ＹＹＹ［時間］の削減までは可能、ということになる。
【００１６】
リレーディスパッチ設定時、電力需要管理装置１の時間帯表示部３は、各需要家の設定済みの電力削減予定時間帯を示す第１表示領域１２１を表示装置１２のリレーディスパッチ設定画面１２０に図３のように表示する（図２ステップＳ１）。第１表示領域１２１には、需要家毎の設定済みの電力削減予定時間帯が時間軸に沿って表示される。具体的には、３０分単位の時間帯を表す枡目１２２が、需要家ごとに表示される。ここでは、各需要家の電力削減予定時間帯が設定されていないため、全ての枡目１２２が、未設定を示す白地となっている。
【００１７】
なお、本実施例における電力削減予定時間は、電力抑制開始時からの経過時間を示している。電力削減予定時間が抑制開始時からの経過時間となっている理由は、本実施例のリレーディスパッチ設定が電力抑制の開始前に予め需要家を選択しておく設定作業となっているからである。電力抑制の継続時間は予め契約で決まっているが、電力会社から何時に電力抑制の要請がくるかは、当日の電力会社の需給バランスで決まる。したがって、リレーディスパッチ設定を行うユーザ（オペレータ）は、電力会社から何時に電力抑制の要請がくるかを事前に知ることはできない。このように、本実施例における電力削減予定時間（図３の例の０時から３時）は、電力抑制開始時からの経過時間を示している。図３の例では、電力抑制開始から３時間のスケジュールを示す画面となっているが、３時間以上のスケジュールを設定できるようになっていてもよいことは言うまでもない。
【００１８】
一方、電力需要管理装置１の削減予定量表示部４は、全ての需要家の設定済みの電力削減予定量の総和を時間帯毎（電力抑制開始時からの経過時間帯毎）にグラフで示す第２表示領域１２３を表示装置１２のリレーディスパッチ設定画面１２０に図３のように表示する（図２ステップＳ２）。このグラフは、横軸が第１表示領域１２１の時間軸と共通で、縦軸が電力となっている。また、削減予定量表示部４は、第２表示領域１２３のグラフ上に重ねるように、必要な電力削減量ＮＥＲを線１２４（例えば赤色の線）によって表示する（ステップＳ２）。この必要な電力削減量ＮＥＲは、例えば電力会社からの要請によって予め定められている。図３の例では、各需要家の電力削減予定量が設定されておらず、電力削減予定量の総和は各時間帯において０である。
【００１９】
電力需要管理装置１のユーザ（オペレータ）は、例えばマウス等の入力装置１３を操作して、リレーディスパッチ設定画面１２０の第１表示領域１２１に表示された時間帯の枡目１２２のうち、リレーディスパッチ設定したい需要家の所望の時間帯の枡目１２２をクリックする。
【００２０】
電力需要管理装置１の削減予定量設定部７は、上記のような入力装置１３による選択操作が行われると（図２ステップＳ３においてＹＥＳ）、ユーザによって選択された需要家の単位時間（１時間）当たりの電力削減可能量ＥＲｔの情報を需要家情報記憶部２から取得して、この電力削減可能量ＥＲｔを基に、当該需要家の電力削減暫定量をユーザによって選択された時間帯毎に算出する（図２ステップＳ４）。
【００２１】
上記の例では、３０分単位で電力削減予定時間帯を設定可能なので、０時から０時３０分の時間帯と０時３０分から１時の時間帯とがユーザによって選択されたとすれば、これら３０分単位の時間帯における電力削減暫定量はＥＲｔ／２である。
【００２２】
電力需要管理装置１の設定禁止部８は、上記のような入力装置１３による選択操作が行われたときに（ステップＳ３においてＹＥＳ）、電力削減予定時間帯の設定が可能かどうかを判断する（図２ステップＳ５）。具体的には、設定禁止部８は、ユーザによって選択された需要家の１日当たりの最大の電力削減可能量ＥＲｍａｘの情報を需要家情報記憶部２から取得すると共に、当該需要家の設定済みの電力削減予定量ＳＥＲの情報を設定記憶部６から取得して、当該需要家の設定済みの電力削減予定量ＳＥＲの総和に、削減予定量設定部７によって算出された電力削減暫定量を加えた値が、当該需要家の電力削減可能量ＥＲｍａｘ以下であれば、電力削減予定時間帯の設定が可能と判断する。
【００２３】
電力需要管理装置１の時間帯設定部５は、電力削減予定時間帯の設定が可能と判断された場合（ステップＳ５においてＹＥＳ）、ユーザによって選択された需要家の選択された時間帯を、当該需要家の電力削減予定時間帯として設定する（図２ステップＳ６）。この選択された需要家と電力削減予定時間帯の情報は、設定記憶部６に記憶される。
【００２４】
電力需要管理装置１の時間帯表示部３は、ステップＳ６で電力削減予定時間帯が設定されると、第１表示領域１２１を更新する（図２ステップＳ７）。具体的には、時間帯表示部３は、ユーザによって選択された需要家の電力削減予定時間帯に対応する枡目１２２の表示色を変更することで、選択された需要家の電力削減予定時間帯の設定が完了したことをユーザに知らせる。
【００２５】
次に、電力需要管理装置１の削減予定量設定部７は、電力削減予定時間帯の設定が可能と判断された場合（ステップＳ５においてＹＥＳ）、ステップＳ４で算出した電力削減暫定量を、ユーザによって選択された需要家の電力削減予定時間帯における電力削減予定量ＳＥＲとして確定する（図２ステップＳ８）。この電力削減予定量ＳＥＲの情報は、設定記憶部６に記憶される。
【００２６】
電力需要管理装置１の削減予定量表示部４は、ステップＳ８で電力削減予定量ＳＥＲが確定すると、第２表示領域１２３を更新する（図２ステップＳ９）。具体的には、削減予定量表示部４は、ステップＳ６で設定された電力削減予定時間帯における全ての需要家の電力削減予定量の総和が、ステップＳ８で決定された電力削減予定量ＳＥＲの分だけ増加するように、第２表示領域１２３のグラフを更新する。
【００２７】
第１表示領域１２１と第２表示領域１２３とが更新された後のリレーディスパッチ設定画面１２０の例を図４に示す。図４の例では、需要家Ａの０時から０時３０分と０時３０分から１時の時間帯と、需要家Ｂの１時から１時３０分と１時３０分から２時と２時から２時３０分の時間帯と、需要家Ｃの２時３０分から３時の時間帯とが電力削減予定時間帯として設定されたことにより、第１表示領域１２１の対応する枡目１２２の表示色が変更されると共に、これら電力削減予定時間帯における電力削減予定量の総和が、ステップＳ７で決定された電力削減予定量ＳＥＲの分だけ増加するようにグラフ１２５が更新されている。
【００２８】
こうして、ユーザは、リレーディスパッチ設定画面１２０を見ながら、３０分単位の各時間帯における電力削減予定量の総和が必要な電力削減量ＮＥＲ以上となるように、電力抑制の要請の対象となる需要家と電力削減予定時間帯の選択を繰り返し行うようにすればよい。
【００２９】
次に、電力需要管理装置１の設定禁止部８は、上記のような入力装置１３による選択操作が行われたときに（ステップＳ３においてＹＥＳ）、ユーザによって選択された需要家の設定済みの電力削減予定量ＳＥＲの総和に、削減予定量設定部７によって算出された電力削減暫定量を加えた値が、当該需要家の電力削減可能量ＥＲｍａｘを超える場合、電力削減予定時間帯の設定が不可能と判断し（ステップＳ５においてＮＯ）、時間帯設定部５に対して電力削減予定時間帯の設定が不可能であることを通知する（図２ステップＳ１０）。
【００３０】
電力需要管理装置１の設定禁止表示部９は、電力削減予定時間帯の設定が不可能と判断された場合、電力削減予定時間帯の設定が不可能である旨をユーザに知らせるメッセージ等をリレーディスパッチ設定画面１２０に表示する（図２ステップＳ１１）。こうして、電力削減予定時間帯の設定が不可と判断された場合には、電力削減予定時間帯および電力削減予定量ＳＥＲの設定が禁止され、ステップＳ３に戻る。
電力需要管理装置１は、ユーザがリレーディスパッチ設定を終えるまで（図２ステップＳ１２においてＹＥＳ）、以上のような動作を行う。
【００３１】
以上のようなリレーディスパッチ設定の後に、電力需要管理装置１の要請入力部１０が電力会社から電力抑制の要請を受け付けると、電力需要管理装置１の節電要請部１１は、電力会社からの要請の内容と設定記憶部６に記憶されているリレーディスパッチ設定の内容に基づいて、需要家への電力抑制の要請の内容を決定し、決定した内容を需要家に通知する。電力会社からの電力抑制の要請および需要家への電力抑制の要請には、例えば電力抑制開始時間、電力抑制継続時間、電力削減量等の内容が含まれている。
【００３２】
なお、需要家への電力抑制の要請の内容を決定するためには、リレーディスパッチ設定で事前に設定された需要家毎の電力削減予定時間を実際の当日の時刻に変換して、電力抑制のスケジュールを作成する必要があるが、このようなスケジュールの作成は節電要請部１１が自動的に行ってもよいし、オペレータが手動で行ってもよい。
【００３３】
こうして、本実施例では、必要な電力削減量ＮＥＲを守りつつ、各需要家の電力抑制時間を短くスケジューリング可能であり、設定操作と操作結果の確認が視覚的に可能なリレーディスパッチ設定画面１２０を提供することで、リレーディスパッチ設定の誤りを低減することが可能となる。
【００３４】
本実施例で説明した電力需要管理装置１は、ＣＰＵ（Central Processing Unit）、記憶装置及びインタフェースを備えたコンピュータと、これらのハードウェア資源を制御するプログラムによって実現することができる。このコンピュータの構成例を図５に示す。コンピュータは、ＣＰＵ２００と、記憶装置２０１と、インターフェース装置（以下、Ｉ／Ｆと略する）２０２とを備えている。Ｉ／Ｆ２０２には、表示装置１２と入力装置１３とが接続される。このようなコンピュータにおいて、本発明の電力需要管理方法を実現させるためのプログラムは記憶装置２０１に格納される。ＣＰＵ２００は、記憶装置２０１に格納されたプログラムに従って本実施例で説明した処理を実行する。
【産業上の利用可能性】
【００３５】
本発明は、電力抑制の要請の対象となる需要家を事前に選択・設定する技術に適用することができる。
【符号の説明】
【００３６】
１…電力需要管理装置、２…需要家情報記憶部、３…時間帯表示部、４…削減予定量表示部、５…時間帯設定部、６…設定記憶部、７…削減予定量設定部、８…設定禁止部、９…設定禁止表示部、１０…要請入力部、１１…節電要請部、１２…表示装置、１３…入力装置。
【図１】
2019213250.tif 000003
【図２】
2019213250.tif 000004
【図３】
2019213250.tif 000005
【図４】
2019213250.tif 000006
【図５】
2019213250.tif 000007
【図６】
2019213250.tif 000008
【図７】
2019213250.tif 000009